(57)【要約】【課題】複数のユーザがそれぞれの使用のたびにプリセットボタンに対するキーコードの登録操作をすることなく快適にプリセットボタンを使用することができること。【解決手段】車載再生装置２は、プリセットボタン１１の操作により、そのプリセットボタン１１に予め対応付けられたキーコードを用いて再生を制御するものである。そして、この車載再生装置２のメモリ２３は、プリセットボタン１１を操作するユーザを認証するための登録データと関連付けて各ユーザのキーコードを記憶する。認証データ取得手段４２は、プリセットボタン１１を操作するユーザの認証データを取得する。キーコード抽出手段４３は、認証データと合致する登録データに関連付けられたキーコードをメモリ２３から抽出する。再生手段４５は、抽出されたキーコードに基づいて再生を制御する。【選択図】図３
2008182434.tif 000002
【特許請求の範囲】
【請求項１】
プリセットボタンの操作により、そのプリセットボタンに予め対応付けられたキーコードを用いて再生を制御する車載再生装置であって、
上記プリセットボタンを操作するユーザを認証するための登録データと関連付けて各ユーザのキーコードを記憶するメモリと、
上記プリセットボタンを操作するユーザの認証データを取得する認証データ取得手段と、
上記認証データと合致する上記登録データに関連付けられたキーコードを上記メモリから抽出するキーコード抽出手段と、
抽出された上記キーコードに基づいて再生を制御する再生手段と、
を有することを特徴とする車載再生装置。
【請求項２】
前記メモリは、前記認証データ取得手段により取得された最新の前記認証データを記憶し、
前記キーコード抽出手段は、前記プリセットボタンが操作されたとき、前記メモリに記憶されている前記認証データにより認証されるユーザのキーコードを前記メモリから抽出すること、
を特徴とする請求項１記載の車載再生装置。
【請求項３】
前記キーコード抽出手段は、前記認証データ取得手段により取得された前記認証データと合致する前記登録データが前記メモリに記憶されていない場合、操作された前記プリセットボタンに予め対応付けられている所定のキーコードを抽出して前記再生手段へ供給することを特徴とする請求項１記載の車載再生装置。
【請求項４】
前記メモリは、前記認証データ取得手段により取得された最新の前記認証データを記憶し、また、ユーザ毎のキーコードを新たに記憶する場合、そのキーコードと、記憶している上記最新の認証データとを関連付けて記憶すること、
を特徴とする請求項１記載の車載再生装置。
【請求項５】
再生コマンドを送信するリモコン送信ユニットと、
前記再生手段、前記プリセットボタン、前記メモリ、前記認証データ取得手段、前記キーコード抽出手段とともに、上記再生コマンドを受信してキーコードを生成するリモコン受信手段を有し、前記メモリが、上記リモコン受信手段により生成されるキーコードを前記各ユーザのキーコードとして記憶するものである装置本体と、
を有することを特徴とする請求項１記載の車載再生装置。
【請求項６】
前記認証データ取得手段は、前記車載再生装置に設けられた生体読取デバイスを用いて認証データを取得することを特徴とする請求項１記載の車載再生装置。
【請求項７】
前記生体読取デバイスは、前記プリセットボタンに配設され、前記プリセットボタンにおいて人の指紋パターンあるいは静脈パターンを読み取るものであることを特徴とする請求項６記載の車載再生装置。
【請求項８】
プリセットボタンについての各ユーザのキーコードを、各ユーザを認証するための登録データと関連付けてメモリに記憶させるステップと、
上記プリセットボタンを操作するユーザの認証データを取得するステップと、
上記プリセットボタンの操作に基づいて、上記認証データと合致する上記登録データに関連付けられたキーコードを上記メモリから抽出するステップと、
抽出された上記キーコードに基づいて再生を制御するステップと、
を有することを特徴とするプリセットボタンによる再生制御方法。
【発明の詳細な説明】
【技術分野】
【０００１】
本発明は、車載再生装置およびプリセットボタンによる再生制御方法に関する。
【背景技術】
【０００２】
特許文献１は、メモリボタンを有するオーディオ装置を開示する。メモリボタンには、ユーザが受信を希望する放送局をプリセットすることができる。
【０００３】
【特許文献１】特開２００６−１５７０９６号公報（要約など）
【発明の開示】
【発明が解決しようとする課題】
【０００４】
放送局などをプリセットボタンの対象とするとき、ユーザは、放送局の周波数の順番などに基づいて順番に複数のプリセットボタンに登録する。１つの地域で受信可能な放送局の数は数個であり、登録をしたユーザ以外のユーザがプリセットボタンを使用したとしても、登録されたプリセットボタンの割り当てについて違和を感じることは少ない。
【０００５】
しかしながら、車載用のオーディオ装置において、プリセットボタンの個数は有限であり、多くとも７個程度である。そして、このプリセットボタンに、ＤＶＤ（Ｄｉｇｉｔａｌ  Ｖｅｒｓａｔｉｌｅ  Ｄｉｓｋ）再生に使用するボタンを割り当てようとした場合、ＤＶＤ再生で利用する機能が多いため、プリセットボタンが不足してしまう。しかも、ＤＶＤには、ＣＤなどとは異なり、多種多様なコンテンツが記録可能であり、このコンテンツによっても、プリセットボタンに登録したい機能が異なってくる。
【０００６】
そのため、メーカが必要最小限と考える機能をプリセットボタンに割り当てたとしても、個々のユーザに使いやすいものになるとは限らない。むしろ、メーカは、実在しない一般的なユーザを想定し、その想定したユーザに合わせた設定をすることになるので、プリセットボタンの設定が、個々のユーザにとって使い易いものとはならない可能性が高くなる。
【０００７】
また、１台の自動車が家族などの複数人で共用される場合、一人のユーザがプリセットボタンの割り当てを登録したとしても、その他のユーザにとってそれが使いやすいものになるとは言えない。そのため、複数のユーザがＤＶＤ再生用にプリセットボタンを使用する場合、各ユーザは、使用をする度にプリセットボタンの割り当てを登録変更したりしなければならない。
【０００８】
本発明は、複数のユーザがそれぞれの使用のたびにプリセットボタンに対するキーコードの登録操作をすることなく快適にプリセットボタンを使用することができる車載再生装置およびプリセットボタンによる再生制御方法を得ることを目的とする。
【課題を解決するための手段】
【０００９】
本発明に係る車載再生装置は、プリセットボタンの操作により、そのプリセットボタンに予め対応付けられたキーコードを用いて再生を制御する車載再生装置である。そして、この車載再生装置は、プリセットボタンを操作するユーザを認証するための登録データと関連付けて各ユーザのキーコードを記憶するメモリと、プリセットボタンを操作するユーザの認証データを取得する認証データ取得手段と、認証データと合致する登録データに関連付けられたキーコードをメモリから抽出するキーコード抽出手段と、抽出されたキーコードに基づいて再生を制御する再生手段と、を有するものである。
【００１０】
本発明に係る車載再生装置は、上述した発明の構成に加えて以下の特徴を有するものである。すなわち、メモリは、認証データ取得手段により取得された最新の認証データを記憶する。また、キーコード抽出手段は、プリセットボタンが操作されたとき、メモリに記憶されている認証データにより認証されるユーザのキーコードをメモリから抽出する。
【００１１】
本発明に係る車載再生装置は、上述した発明の各構成に加えて以下の特徴を有するものである。すなわち、キーコード抽出手段は、認証データ取得手段により取得された認証データと合致する登録データがメモリに記憶されていない場合、操作されたプリセットボタンに予め対応付けられている所定のキーコードを抽出して再生手段へ供給する。
【００１２】
本発明に係る車載再生装置は、上述した発明の各構成に加えて以下の特徴を有するものである。すなわち、メモリは、認証データ取得手段により取得された最新の認証データを記憶する。また、メモリは、各ユーザのキーコードを新たに記憶する場合、そのキーコードと、記憶している最新の認証データとを関連付けて記憶する。
【００１３】
本発明に係る車載再生装置は、上述した発明の各構成に加えて以下の特徴を有するものである。すなわち、車載再生装置は、さらに、再生コマンドを送信するリモコン送信ユニットと、装置本体とを有する。そして、この装置本体は、再生手段、プリセットボタン、メモリ、認証データ取得手段、キーコード抽出手段とともに、再生コマンドを受信してキーコードを生成するリモコン受信手段を有し、また、メモリが、リモコン受信手段により生成されるキーコードを各ユーザのキーコードとして記憶するものである。
【００１４】
本発明に係る車載再生装置は、上述した発明の各構成に加えて以下の特徴を有するものである。すなわち、認証データ取得手段は、車載再生装置に設けられた生体読取デバイスを用いて認証データを取得する。
【００１５】
本発明に係る車載再生装置は、上述した発明の各構成に加えて以下の特徴を有するものである。すなわち、生体読取デバイスは、プリセットボタンに配設され、プリセットボタンにおいて人の指紋パターンあるいは静脈パターンを読み取る。
【００１６】
本発明に係るプリセットボタンによる再生制御方法は、プリセットボタンについての各ユーザのキーコードを、各ユーザを認証するための登録データと関連付けてメモリに記憶させるステップと、プリセットボタンを操作するユーザの認証データを取得するステップと、プリセットボタンの操作に基づいて、認証データと合致する登録データに関連付けられたキーコードをメモリから抽出するステップと、抽出されたキーコードに基づいて再生を制御するステップと、を有するものである。
【発明の効果】
【００１７】
本発明では、複数のユーザがそれぞれの使用のたびにプリセットボタンに対するキーコードの登録操作をすることなく快適にプリセットボタンを使用することができる。
【発明を実施するための最良の形態】
【００１８】
以下、本発明の実施の形態に係る車載再生装置およびプリセットボタンによる再生制御方法を、図面に基づいて説明する。車載再生装置は、車載再生システムの一部として説明する。プリセットボタンによる再生制御方法は、車載再生システムの動作の一部として説明する。
【００１９】
図１は、本発明の実施の形態に係る車載再生システム１を示す構成図である。車載再生システム１は、車載再生装置としてのヘッド装置２と、カラー液晶装置３と、スピーカ４と、を有する。ヘッド装置２は、装置本体５と、ボタン操作に応じた再生コマンドを赤外線送信するリモコン送信ユニット６と、を有する。カラー液晶装置３およびスピーカ４は、装置本体５に接続される。
【００２０】
図２は、図１中の装置本体５の正面図である。装置本体５は、たとえば自動車のセンターコンソールに埋設されるものであり、その四角形のフロントパネル１０に、６つのプリセットボタン１１と、メニューボタン１２と、生体読取デバイスとしての指紋読取デバイス１３と、リモコン送信ユニット６の赤外線を受光する赤外線受光デバイス１４と、文字などを表示することができる長尺の液晶パネル１５と、が配設されている。また、フロントパネル１０は、開閉可能であり、パネルの裏側に、ＣＤ（コンパクトディスク）やＤＶＤを格納するための図示外のスロットが設けられている。
【００２１】
図３は、図１中のヘッド装置２の回路を示すブロック図である。装置本体５は、マイクロコンピュータ２１を有する。マイクロコンピュータ２１には、キーデバイス２２と、指紋読取デバイス１３と、赤外線受光デバイス１４と、液晶パネル１５と、メモリとしてのフラッシュメモリ２３と、が接続される。
【００２２】
キーデバイス２２は、フロントパネル１０に配設される６つのプリセットボタン１１およびメニューボタン１２を有し、これらのボタンに対する操作に応じた操作データをマイクロコンピュータ２１へ出力する。
【００２３】
指紋読取デバイス１３は、その表面に触れる指の指紋を読み取り、マイクロコンピュータ２１へ出力する。
【００２４】
リモコン受信手段の一部としての赤外線受光デバイス１４は、リモコン送信ユニット６の赤外線を受光し、受光パターンに応じた受光データをマイクロコンピュータ２１へ出力する。なお、リモコン送信ユニット６は、ＤＶＤ再生時に使用する、たとえば図示外のスタートボタン、再生停止ボタン、終了ボタン、倍速再生ボタン、減速再生ボタン、速送り再生ボタン、速戻し再生ボタン、チャプタ送り再生ボタン、チャプタ戻し再生ボタン、数字ボタン、メニューボタン１２、方向指示ボタン、決定ボタンなどを有し、操作されたボタンに応じて異なるパターンの赤外線を出力する。
【００２５】
液晶パネル１５は、マイクロコンピュータ２１から供給される表示データに基づいて文字などを表示する。
【００２６】
フラッシュメモリ２３は、無給電状態においてデータを保持することができる不揮発性メモリの一種である。この実施の形態のフラッシュメモリ２３は、キーコードが予め対応付けられているＤＶＤ用デフォルトプリセットデータ３１と、登録済み各ユーザのＤＶＤ用ユーザ別プリセットデータ３２と、チューナ用プリセットデータ３３と、ＣＤ用プリセットデータ３４などの、プリセットデータを記憶する。
【００２７】
各プリセットデータには、複数のプリセットボタン１１の操作に基づいてキーデバイス２２が生成する操作データと対応付けて、装置本体５内の再生コマンドとしてのキーコードが登録される。特に、各ユーザのＤＶＤ用ユーザ別プリセットデータ３２には、各ユーザのキーコードとともに、ユーザの認証に用いる登録データと、ユーザ名とが関連付けて登録される。
【００２８】
また、フラッシュメモリ２３は、特徴解析部４２が生成した最新の特徴点データを、最新ユーザ識別データ３５として記憶する。
【００２９】
マイクロコンピュータ２１は、図示外のＣＰＵ（Ｃｅｎｔｒａｌ  Ｐｒｏｃｅｓｓｉｎｇ  Ｕｎｉｔ）、図示外の入出力ポートなどを有する。入出力ポートには、キーデバイス２２、指紋読取デバイス１３、赤外線受光デバイス１４、液晶パネル１５、フラッシュメモリ２３、カラー液晶装置３、スピーカ４などが接続される。また、図示外のＣＰＵがフラッシュメモリ２３などに記憶される図示外のプログラムを実行することにより、マイクロコンピュータ２１には、リモコン受信手段の一部としてのキーコード生成部４１、認証データ取得手段としての特徴解析部４２と、キーコード抽出手段としての操作判断部４３、チューナ再生部４４、再生手段としてのＤＶＤ再生部４５、ＣＤ再生部４６などが実現される。
【００３０】
キーコード生成部４１は、キーコードテーブル４７を有する。このキーコードテーブル４７には、たとえば上述したＤＶＤ再生時に使用する機能などの、リモコン送信ユニット６により操作可能な機能に対応する複数のキーコードが記憶される。キーコード生成部４１は、リモコン送信ユニット６が受光した赤外線のパターンによりキーコードテーブル４７を検索し、受光した赤外線パターンに対応するキーコードを生成する。キーコード生成部４１は、生成したキーコードを、チューナ再生部４４、ＤＶＤ再生部４５、ＣＤ再生部４６、操作判断部４３などへ供給する。
【００３１】
特徴解析部４２は、指紋読取デバイス１３が読み取った指紋の特徴点を解析し、指紋の特徴に応じた値の特徴点データを生成する。この特徴点データは、ユーザに固有のデータであり、ユーザを認証する認証データとして利用可能である。
【００３２】
操作判断部４３は、キーデバイス２２からプリセットボタン１１に対応する操作データが供給されると、たとえば、フラッシュメモリ２３を検索することによりその操作データに応じたキーコードを抽出し、チューナ再生部４４、ＤＶＤ再生部４５、ＣＤ再生部４６などへ供給する。
【００３３】
また、操作判断部４３は、キーデバイス２２からメニューボタン１２に対応する操作データが供給されると、装置本体５の動作モードを、登録モード、削除モードおよび呼出モード（通常モード）との間で切り替える。登録モードは、各ユーザのプリセットボタン１１のキーコードを、フラッシュメモリ２３に登録するモードである。削除モードは、フラッシュメモリ２３に登録されているキーコードを削除するモードである。呼出モード（通常モード）は、プリセットボタン１１の操作に基づいて、フラッシュメモリ２３に登録済みのキーコードを読み出すモードである。
【００３４】
チューナ再生部４４は、チューナ再生制御用のキーコードの入力に応じて動作を切り替え、ヘッド装置２が受信した放送電波から映像信号および音声信号を生成し、映像信号をカラー液晶装置３へ供給し、音声信号をスピーカ４へ供給する。
【００３５】
ＤＶＤ再生部４５は、ＤＶＤ再生制御用のキーコードの入力に応じて動作を切り替え、装置本体５に装着されたＤＶＤを再生する。ＤＶＤ再生部４５は、再生したコンテンツの映像信号をカラー液晶装置３へ供給し、音声信号をスピーカ４へ供給する。
【００３６】
ＣＤ再生部４６は、ＣＤ再生制御用のキーコードの入力に応じて動作を切り替え、装置本体５に装着されたＣＤを再生する。ＣＤ再生部４６は、再生した音声信号をスピーカ４へ供給する。
【００３７】
次に、以上の構成を有する車載再生システム１の動作を説明する。ここでは、車載再生システム１によりＤＶＤを再生するための、各ユーザのキーコードの登録動作、キーコードの削除動作、プリセットボタン１１を用いたＤＶＤ再生動作を順番に説明する。
【００３８】
図４は、登録動作における装置本体５の動作の流れを示すフローチャートである。装置本体５の起動後にメニューボタン１２が１回操作されると、キーデバイス２２は、メニューボタン１２の操作データをマイクロコンピュータ２１へ出力する。マイクロコンピュータ２１の操作判断部４３は、動作モードを登録モードに設定し、液晶パネル１５に「指紋認証登録」の文字を表示させる（ステップＳＴ１）。
【００３９】
液晶パネル１５に「指紋認証登録」の文字を表示させた後、操作判断部４３は、特徴解析部４２からの特徴点データの入力待ち状態になる。この状態において、ユーザがキー操作に使用する指（たとえば人差し指）の指先を指紋読取デバイス１３に重ねると、指紋読取デバイス１３は、その表面に触れる指の指紋を読み取り、マイクロコンピュータ２１へ出力する。特徴解析部４２は、指紋読取デバイス１３が読み取った指紋の特徴点を解析し、指紋の特徴に応じた値の特徴点データを生成する（ステップＳＴ２）。
【００４０】
特徴解析部４２から特徴点データが供給されると、操作判断部４３は、液晶パネル１５に「ユーザ登録」の文字を表示させた（ステップＳＴ３）後、ユーザ名の入力待ち状態になる。たとえばユーザによるプリセットボタン１１やリモコン送信ユニット６の操作によりユーザ名が入力されると、操作判断部４３は、取得した特徴点データおよびユーザ名を、新たなＤＶＤ用ユーザ別プリセットデータ３２としてフラッシュメモリ２３に記憶させる。これにより、フラッシュメモリ２３には、操作判断部４３が取得した特徴点データが登録データとして登録され、且つ、ユーザ名を有する新たなＤＶＤ用ユーザ別プリセットデータ３２が登録される（ステップＳＴ４）。
【００４１】
ただし、この時点のＤＶＤ用ユーザ別プリセットデータ３２には、ＤＶＤ用のデフォルトプリセットデータ３１がコピーされ、それと同じキーコードが登録される。これにより、各ユーザは、ユーザ登録するだけで、プリセットボタン１１の使用が可能となる。なお、この時点のＤＶＤ用ユーザ別プリセットデータ３２には、有効なプリセットボタン１１のキーコードが登録されないようにしてもよい。
【００４２】
その後、操作判断部４３は、新たなユーザが登録されたことを示す「ユーザＯＫ」の文字を液晶パネル１５に表示させる（ステップＳＴ５）。
【００４３】
なお、操作判断部４３は、この新たなユーザの登録の際に、事前に登録されている所定のマスターユーザなどの立ち合いによる登録許可処理を実行するようにしてもよい。たとえば、操作判断部４３は、液晶パネル１５に「ユーザ登録」の文字を表示させた後、最初に読み取った指紋の特徴点データが、フラッシュメモリ２３に事前に登録されている所定のマスターユーザなどのものと合致するか否かを判断する。そして、フラッシュメモリ２３に読み取った指紋の特徴点データに合致するデータ（マスターユーザのデータ）が登録されている場合には、操作判断部４３は、次の指紋入力を促すために液晶パネル１５に「ユーザ登録」の文字を表示させ、ユーザ名入力待ち状態となり、その２つ目の特徴点データを、新たなＤＶＤ用ユーザ別プリセットデータ３２としてフラッシュメモリ２３に記憶させればよい。逆に、フラッシュメモリ２３に最初の特徴点データと合致するデータが無い場合、操作判断部４３は、マスターユーザの指紋入力を再要求したり、登録モードを終えたりすればよい。これにより、マスターユーザの許可が無いまま、ユーザ登録がなされてしまうことがなくなる。
【００４４】
また、マスターユーザの立ち会いの下でしか新たな登録ができないようにしておけば、たとえ、ヘッド装置２が盗難に遭って、第三者の手に渡った場合でも、当該第三者はヘッド装置２を使用することができない。したがって、そのような機能がヘッド装置２に搭載されていることが世の中に広く知られれば、盗難防止に寄与することができる。なお、このような機能は、ヘッド装置２が取り外された場合、すなわち、車載のバッテリとの接続が一時的に途絶えた場合に、起動（実行）されるようにしてもよい。つまり、通常はマスターユーザ以外による単独での登録を許可し、盗難に遭遇して、車載のバッテリから外された場合には、マスターユーザの立ち会いの下でしか、新たな登録ができないようにする。これにより、通常時は、誰でも簡単に新たな登録ができるとともに、盗難等に遭遇した場合には、第三者の使用を制限できる。
【００４５】
液晶パネル１５に「ユーザＯＫ」の文字が表示されている状態でメニューボタン１２がさらに１回操作される（ステップＳＴ６）と、操作判断部４３は、未登録ユーザによるプリセットボタン１１操作の許可／禁止を設定するモード（指紋未登録セキュリティ登録（変更）モード）となる。たとえば、操作判断部４３は、「指紋未登録セキュリティモード：有効（あるいは無効）」の文字を液晶パネル１５に表示させた上で、プリセットボタン１１やリモコン送信ユニット６の操作待ち状態になる。操作判断部４３は、プリセットボタン１１やリモコン送信ユニット６の操作に基づいて操作データが供給されると、許可と禁止との間で順番に設定を更新する。更新された設定は、図示外の設定データとしてフラッシュメモリ２３に記憶される（ステップＳＴ７）。
【００４６】
液晶パネル１５に「指紋未登録セキュリティモード：有効（あるいは無効）」の文字が表示されている状態でメニューボタン１２がさらに１回操作される（ステップＳＴ８）と、操作判断部４３は、登録済みユーザのプリセットボタン１１の割り付けを設定（変更）するモード（キー割り当てモード）となる。操作判断部４３は、フラッシュメモリ２３に記憶されているユーザ名を読み込み、液晶パネル１５に表示させる（ステップＳＴ９）。
【００４７】
なお、操作判断部４３は、フラッシュメモリ２３に複数のユーザ名が記憶されている場合、プリセットボタン１１やリモコン送信ユニット６の操作に応じてユーザ名を順番に読み込み、液晶パネル１５に表示させる。これにより、登録済みユーザを確認することができる。特に、操作判断部４３は、複数のＤＶＤ用ユーザ別プリセットデータ３２のユーザ名を、最新に登録されたものから順番に表示するようにすればよい。これにより、先に操作したユーザのユーザ名が最初に表示されるようになる。
【００４８】
液晶パネル１５に所定のユーザ名が表示されている状態で１つのプリセットボタン１１が所定の期間（たとえば２秒以上）連続して押下される（ステップＳＴ１０）と、操作判断部４３は、そのユーザのそのプリセットボタン１１のキーコードを更新（変更）する処理を開始する。操作判断部４３は、たとえば「プリセット１（＝プリセット＋押下されたプリセットボタン１１の番号）」を液晶パネル１５に点滅表示させる（ステップＳＴ１１）。
【００４９】
プリセットボタン１１の番号が点滅している状態において、ユーザは、リモコン送信ユニット６中のボタンから、そのプリセットボタン１１に登録したいＤＶＤ再生時に使用するボタンを操作する。リモコン送信ユニット６は、操作されたボタンに応じた赤外線を出力し、装置本体５の赤外線受光デバイス１４は、この赤外線を受光する。キーコード生成部４１は、キーコードテーブル４７から、赤外線受光デバイス１４の受光パターンに対応するキーコードを読み込み、操作判断部４３などへ供給する（ステップＳＴ１２）。操作判断部４３は、供給されたキーコードを液晶パネル１５に表示させる（ステップＳＴ１３）。
【００５０】
液晶パネル１５にキーコードを表示した状態でメニューボタン１２が操作される（ステップＳＴ１４）と、操作判断部４３は、表示させたキーコードを、フラッシュメモリ２３に登録する。これにより、液晶パネル１５に表示したユーザ名のＤＶＤ用ユーザ別プリセットデータ３２には、押下されたプリセットボタン１１に対応させて、液晶パネル１５に表示させたキーコードが登録される（ステップＳＴ１５）。
【００５１】
なお、操作判断部４３によるリモコン送信ユニット６からのキーコードの受付期間は、たとえば１０秒以内とすればよい。そして、操作判断部４３は、この所定の受付時間が経過すると、たとえば新たなプリセットボタン１１の操作待ち状態となればよい。また、操作判断部４３は、液晶パネル１５にキーコードを表示した状態でたとえばプリセットボタン１１が操作されると、その表示させたキーコードをキャンセルし、その新たに操作されたプリセットボタン１１に対する新たなキーコードの入力待ち状態となればよい。
【００５２】
以上の図４の登録モードの動作により、フラッシュメモリ２３には、各ユーザのＤＶＤ用ユーザ別プリセットデータ３２が登録され、且つ、その全ＤＶＤ用ユーザ別プリセットデータ３２には、ユーザが登録のための操作をしたプリセットボタン１１のキーコードと、ユーザの登録データとが登録される。
【００５３】
図５は、削除動作における装置本体５の動作の流れを示すフローチャートである。登録モードに引き続いてメニューボタン１２がさらに１回操作されと、キーデバイス２２は、メニューボタン１２の操作データをマイクロコンピュータ２１へ出力する。マイクロコンピュータ２１の操作判断部４３は、動作モードを削除モードに設定し、液晶パネル１５に「ＤＥＬＥＴＥ（削除）」の文字を表示させ、削除するプリセットボタン１１の操作待ち状態になる（ステップＳＴ２１）。
【００５４】
液晶パネル１５に「ＤＥＬＥＴＥ（削除）」の文字が表示されている状態で削除する所定のプリセットボタン１１が所定の期間（たとえば２秒以上）連続して押下される（ステップＳＴ２２）と、操作判断部４３は、そのユーザのそのプリセットボタン１１のキーコードをデフォルトに戻す処理（あるいは削除する処理）を開始する。
【００５５】
操作判断部４３は、液晶パネル１５にたとえば「ＤＥＬＥＴＥ２（＝ＤＥＬＥＴＥ＋削除のために押下されたプリセットボタン１１の番号）」を点滅表示させる（ステップＳＴ２３）。その後、メニューボタン１２が操作される（ステップＳＴ２４）と、操作判断部４３は、フラッシュメモリ２３に記憶されているそのユーザ名のＤＶＤ用ユーザ別プリセットデータ３２中の、その液晶パネル１５に表示したプリセットボタン１１のキーコードをデフォルトに戻す（あるいは削除する）（ステップＳＴ２５）。
【００５６】
なお、操作判断部４３は、たとえば液晶パネル１５に「ＤＥＬＥＴＥ（削除）」の文字を表示させている状態でメニューボタン１２が操作される（ステップＳＴ２６）と、そのユーザ名のＤＶＤ用ユーザ別プリセットデータ３２の初期化処理を実行する。この初期化処理では、操作判断部４３は、たとえば、まず、液晶デバイスに「ＰＲＥ  ＩＮＩＴ」の文字を点滅表示させる（ステップＳＴ２７）。そして、操作判断部４３は、もう一度メニューボタン１２が操作される（ステップＳＴ２８）と、液晶パネル１５に表示させたユーザ名のＤＶＤ用ユーザ別プリセットデータ３２を、デフォルトプリセットデータ３１により更新する。なお、操作判断部４３は、液晶パネル１５に表示させたユーザ名のＤＶＤ用ユーザ別プリセットデータ３２のキーコードをすべて削除するようにしてもよい（ステップＳＴ２９）。このように、ＤＶＤ用ユーザ別プリセットデータ３２を削除するのではなく、キーコード部分のみをデフォルト値に戻したり削除したりすることにより、削除処理をしたＤＶＤ用ユーザ別プリセットデータ３２そのものは、フラッシュメモリ２３に残る。そのため、登録済みユーザは、ユーザの指紋登録を繰り返さなくて済む。つまり、登録済みユーザによるキーコードの再登録操作負荷を減らすことができる。
【００５７】
以上の図５の削除モードの動作により、フラッシュメモリ２３に登録されていたＤＶＤ用ユーザ別プリセットデータ３２は、ユーザの操作に応じてプリセットボタン単位あるいはユーザ単位でデフォルト値へ戻される（あるいは削除される）。
【００５８】
図６は、ＤＶＤ再生時の装置本体５の動作の流れを示すフローチャートである。指紋読取デバイス１３は、ユーザの指が触れると、その表指の指紋を読み取り、マイクロコンピュータ２１へ出力する。特徴解析部４２は、指紋読取デバイス１３が読み取った指紋の特徴点を解析し、指紋の特徴に応じた値の特徴点データを生成する（ステップＳＴ３１）。操作判断部４３は、特徴解析部４２から供給される特徴点データにより、フラッシュメモリ２３に記憶されている最新ユーザ識別データ３５を更新する（ステップＳＴ３２）。これにより、フラッシュメモリ２３は、常に、特徴解析部４２により生成された最新のユーザの特徴点データを記憶する。
【００５９】
ユーザは、ＤＶＤ再生を制御するために、プリセットボタン１１を操作する。そして、プリセットボタン１１が短押操作される（ステップＳＴ３３でＹｅｓ）と、キーデバイス２２は、プリセットボタン１１に対応する操作データを操作判断部４３へ供給する。登録モードあるいは削除モードではない動作モード、つまり呼出モード（通常モード）にある操作判断部４３は、フラッシュメモリ２３内を検索する。そして、フラッシュメモリ２３に、最新ユーザ識別データ３５の特徴点データと合致する登録データ（特徴点データ）を有するＤＶＤ用ユーザ別プリセットデータ３２が存在する場合（ステップＳＴ３４でＹｅｓの場合）、操作判断部４３は、そのＤＶＤ用ユーザ別プリセットデータ３２中の上記操作されたプリセットボタン１１に対応するキーコードを、フラッシュメモリ２３から抽出する（ステップＳＴ３５）。操作判断部４３は、抽出したキーコードを、ＤＶＤ再生部４５などへ供給する（ステップＳＴ３６）。ＤＶＤ再生部４５は、供給されたキーコードを解釈し、キーコードに応じた制御を実行する。これにより、装置本体５は、ユーザがプリセットボタン１１に登録したキーコードにより、ＤＶＤの再生を制御することができる。
【００６０】
また、フラッシュメモリ２３に、最新ユーザ識別データ３５の特徴点データと合致する登録データ（特徴点データ）を有するＤＶＤ用ユーザ別プリセットデータ３２が存在しない場合（ステップＳＴ３４でＮｏの場合）、操作判断部４３は、操作判断部４３は、フラッシュメモリ２３からデフォルトプリセットデータ３１のキーコードを抽出し（ステップＳＴ３７）、ＤＶＤ再生部４５へ供給する（ステップＳＴ３６）。これにより、ＤＶＤ再生部４５は、デフォルトプリセットデータ３１に基づいて再生を制御する。
【００６１】
なお、呼出モード（通常モード）にある操作判断部４３は、プリセットボタン１１が所定の期間（たとえば２秒以上）連続して押下される（ステップＳＴ３８でＹｅｓ）と、押下されたプリセットボタン１１に対応するユーザ別のキーコードを抽出してＤＶＤ再生部４５などへ供給するとともに、液晶パネル１５に読み込んだキーコードを表示させる（ステップＳＴ３９〜ＳＴ４１）。これにより、ＤＶＤ再生部４５が再生を制御するとともに、キーコードを表示させることができる。
【００６２】
なお、装置本体５の表示能力が高い場合、呼出モード（通常モード）にある操作判断部４３は、ステップＳＴ３３のプリセットボタン１１の短押操作においてそのキーコードを常に表示し、さらにステップＳＴ３８のプリセットボタン１１の長押操作に対して、キーコード表示機能（ステップＳＴ４１）以外の機能（たとえば音声によるキーコードの案内などの機能）を割り当てるようにしてもよい。
【００６３】
以上のように、この実施の形態のヘッド装置２のフラッシュメモリ２３は、各ＤＶＤ用ユーザ別プリセットデータ３２において、特徴解析部４２により生成された各ユーザの特徴点データと、プリセット操作用の各ユーザのキーコードとを記憶する。そして、呼出モード（通常モード）にある操作判断部４３は、プリセットボタン１１の操作に基づいて、ＤＶＤ用ユーザ別プリセットデータ３２において、フラッシュメモリ２３に記憶される最新ユーザ識別データ３５（特徴点データ）と対応付けられているそのプリセットボタン１１のキーコードをフラッシュメモリ２３から抽出し、ＤＶＤ再生部４５へ供給する。ＤＶＤ再生部４５は、このＤＶＤ再生制御用のキーコードによりＤＶＤの再生を制御する。
【００６４】
したがって、この実施の形態のヘッド装置２では、フラッシュメモリ２３において、各ユーザのＤＶＤ再生制御用のプリセット割り付けを記憶し、各ユーザはＤＶＤ再生時にこれを利用して再生を制御することができる。しかも、各ユーザは、各自の好みのキーコードを１度登録すれば、ＤＶＤ再生のたびにプリセットボタン１１に対応するキーコードを登録する操作をすることなく、快適にプリセットボタン１１を使用することができる。
【００６５】
そのため、各ユーザは、自分に合ったプリセットボタン１１のみの操作により、思い通りにＤＶＤの再生を制御することが可能となる。各ユーザは、他人のプリセットボタン１１の設定やメーカによるデフォルト設定によらずに、自らの設定に基づいて、少ないプリセットボタン１１を用いて快適にＤＶＤを再生することができる。しかも、各ユーザは、指紋認証のみによりプリセットボタン１１の使用が可能となる。したがって、各ユーザは、メニューボタン１２などを操作してフラッシュメモリ２３に登録された自分専用の設定を呼び出したりすることなく、プリセットボタン１１を使用することができる。
【００６６】
また、各ユーザは、ＤＶＤ再生の際に、特徴解析部４２により特徴点データが生成された後には、プリセットボタン１１を各自の設定により何度も利用することができる。各ユーザは、プリセットボタン１１を使用する度に指の指紋を読み取らせる認証操作をしなくてよい。しかも、特徴解析部４２により特徴点データが生成された後は、未登録ユーザは、その登録済みユーザの設定によりプリセットボタン１１を操作することができる。たとえば、登録済みユーザである運転手が認証を受けた後には、未登録の助手席の人が操作を引き継いでプリセットボタン１１を操作することができる。
【００６７】
また、フラッシュメモリ２３中のＤＶＤ用ユーザ別プリセットデータ３２に登録データとして登録されていない特徴点データが特徴解析部４２により生成された場合、この実施の形態の操作判断部４３は、デフォルトプリセットデータ３１のキーコードを抽出してＤＶＤ再生部４５へ供給する。これにより、指紋を登録していないユーザは、プリセット登録操作をしなくとも、ＤＶＤ再生を制御することができる。
【００６８】
なお、フラッシュメモリ２３中のＤＶＤ用ユーザ別プリセットデータ３２に登録データとして登録されていない特徴点データが特徴解析部４２により生成された場合、操作判断部４３は、ＤＶＤ再生部４５へキーコードを供給しないようにしてもよい。この変形例の場合、未登録ユーザによるプリセットボタン１１による操作を制限することができる。未登録ユーザによるプリセットボタン１１の操作について、セキュリティを高めることができる。
【００６９】
また、この実施の形態のヘッド装置２は、ＤＶＤ再生用の再生コマンドを送信するリモコン送信ユニット６と、装置本体５に設けられ、ＤＶＤ再生用の再生コマンドを受信してＤＶＤ再生用のキーコードを生成する赤外線受光デバイス１４およびキーコード生成部４１とを有し、フラッシュメモリ２３は、このキーコード生成部４１が生成するＤＶＤ再生用のキーコードを、各ユーザのキーコードとして記憶する。したがって、各ユーザは、ＤＶＤ再生用のリモコン送信ユニット６を操作することで、プリセットボタン１１に所望のキーコードを簡単に登録することができる。そのため、ユーザは、装置本体５において、プリセットボタン１１に登録するＤＶＤ再生用のキーコードを探したり、設定したりする必要がない。また、ユーザは、装置本体５において使用されているキーコードそのものを知らなくとも、リモコン送信ユニット６に割り付けられているボタンの内から所望のボタンを選択して操作することで、所望のキーコードを簡単に且つ確実に登録することができる。
【００７０】
また、装置本体５は、この各ユーザのプリセット登録のために、フラッシュメモリ２３などに、キーコードのデータベースを設ける必要は無い。装置本体５の操作判断部４３は、キーコード生成部４１がリモコン操作用に記憶するキーコードテーブル４７を、各ユーザのキーコード登録に利用することができる。
【００７１】
また、この実施の形態のＤＶＤ用ユーザ別プリセットデータ３２には、このプリセットボタン１１のキーコードと関連付けて、そのユーザのユーザ名および登録データ（特徴点データ）が登録される。しかも、この登録データ（特徴点データ）は、指紋読取デバイス１３の読み取りに基づいて特徴解析部４２が生成するものである。したがって、各ユーザは、装置本体５においてユーザ登録をすることができる。また、プリセットボタン１１の操作の際に、特徴解析部４２が生成する特徴点データそのものを登録データとして登録することになるので、登録データと認証データとの合致が得やすくなる。登録済みユーザの指紋読取エラーの発生確率を下げることができる。
【００７２】
また、この実施の形態では、特徴解析部４２は、装置本体５に設けられた指紋読取デバイス１３の読取に基づいてユーザの特徴点データを生成する。これにより、特徴解析部４２は、プリセットボタン１１に対して操作可能な場所にいるユーザの特徴点データを生成することができる。たとえば車両中に、プリセットボタン１１に対して操作可能な場所にいる登録済みユーザと、操作不可能な場所にいる登録済みユーザとが存在する場合であっても、操作判断部４３は、特徴解析部４２が生成する特徴点データに基づいて操作可能なユーザを適切に区別し、そのユーザの設定によりＤＶＤ再生用のキーコードを生成することができる。
【００７３】
なお、この実施の形態のヘッド装置２のフラッシュメモリ２３は、ＤＶＤ用ユーザ別プリセットデータ３２とともに、チューナ用プリセットデータ３３と、ＣＤ用プリセットデータ３４と、を記憶する。チューナ用プリセットデータ３３は、チューナ再生中にプリセットボタン１１が操作された場合に操作判断部４３により読み込まれ、チューナ再生部４４へ供給される。ＣＤ用プリセットデータ３４は、ＣＤ再生中にプリセットボタン１１が操作された場合に操作判断部４３により読み込まれ、ＣＤ再生用へ供給される。これらチューナ再生やＣＤ再生において利用する機能の数は、ＤＶＤ再生において使用する機能の数ほど多くはない。ユーザは、チューナ用プリセットデータ３３やＣＤ用プリセットデータ３４が複数のユーザに共通のものであったとしても、プリセットボタン１１が不足していると感じてしまったり、デフォルトあるいは他のユーザによるプリセットボタン１１の設定に違和を感じてしまったりすることはない。
【００７４】
以上の実施の形態は、本発明の好適な実施の形態の例であるが、本発明は、これに限定されるものではなく、発明の要旨を逸脱しない範囲において種々の変形や変更が可能である。
【００７５】
上記実施の形態では、フラッシュメモリ２３にＤＶＤ用ユーザ別プリセットデータ３２として登録されていない特徴点データが特徴解析部４２により生成された場合、操作判断部４３は、ＤＶＤ再生用のデフォルトプリセットデータ３１のキーコードを抽出する。この他にもたとえば、特徴解析部４２により未登録の特徴点データが生成された場合、操作判断部４３は、キーコードを抽出しないようにしてもよい。
【００７６】
上記実施の形態では、装置本体５において指紋読取デバイス１３は、プリセットボタン１１とは別に設けられている。この他にもたとえば、指紋読取デバイス１３は、プリセットボタン１１と一体化されていてもよい。
【００７７】
図７は、この実施の形態の変形例に係る装置本体５の正面図である。図８は、図７の装置本体５を有するヘッド装置２の回路を示すブロック図である。この変形例のフロントパネル１０では、複数のプリセットボタン５０の操作面に、複数の指紋読取デバイス５１が１つずつ配設されている。そして、この複数の指紋読取デバイス５１は、図８に示すように、その表面に触れる指の指紋を読み取り、マイクロコンピュータ２１へ出力する。マイクロコンピュータ２１の特徴解析部５２は、この複数の指紋読取デバイス５１により読み取られた指紋の特徴点を解析し、指紋の特徴に応じた値の特徴点データを生成する。なお、複数のプリセットボタン５０の操作面に配設される生体読取デバイスは、たとえば操作者の静脈パターンを読み取るものであってもよい。
【００７８】
このように複数のプリセットボタン５０の操作面に複数の生体読取デバイスを配設することにより、ユーザが所望のプリセットボタン５０に対して操作をすると、特徴解析部５２によりユーザの特徴点データが生成される。操作判断部４３は、このリアルタイムに生成される特徴点データを用いてキーコードを抽出し、ＤＶＤ再生部４５へ供給することになる。しかも、特徴点データの生成タイミングと、キーデバイス２２によるプリセットボタン１１の操作データの生成タイミングとが同じになるので、特徴点データを、最新ユーザ識別データ３５としてフラッシュメモリ２３に記憶しなくてもよい。さらに、この変形例の場合には、複数の登録済みユーザがプリセットボタン１１に対して交互に操作をしたとしても、操作判断部４３は、その操作毎に操作した適当なユーザのキーコードをＤＶＤ再生部４５へ供給することができる。
【００７９】
上記実施の形態では、特徴解析部４２は、装置本体５の指紋読取デバイス１３が読み取った指紋の特徴点を示す特徴点データを生成し、この特徴点データを用いてユーザを認証する。さらに、先の変形例の説明では、特徴解析部４２は、装置本体５に静脈パターンの読取デバイスを設け、この静脈パターンの読取デバイスが読み取った指の静脈パターンに基づく特徴点を示す特徴点データを生成し、この特徴点データを用いてユーザを認証するようにしてもよい。さらに他にもたとえば、特徴解析部４２は、装置本体５にユーザ一人一人が所持する携帯電話端末などのＩＤ、キーレスエントリ用リモコンのＩＤ、ユーザに固有の声紋、体重、体脂肪率などを示す認証データを取得し、この取得した認証データによりユーザを認証するようにしてもよい。
【産業上の利用可能性】
【００８０】
本発明は、自動車などの車両に搭載される車載オーディオシステムなどにおいて、ユーザの操作性を向上するために好適に利用することができる。
【図面の簡単な説明】
【００８１】
【図１】図１は、本発明の実施の形態に係る車載再生システムを示す構成図である。
【図２】図２は、図１中の装置本体の正面図である。
【図３】図３は、図１中のヘッド装置の回路を示すブロック図である。
【図４】図４は、登録動作における装置本体の動作の流れを示すフローチャートである。
【図５】図５は、削除動作における装置本体の動作の流れを示すフローチャートである。
【図６】図６は、ＤＶＤ再生時の装置本体の動作の流れを示すフローチャートである。
【図７】図７は、この実施の形態の変形例に係る装置本体の正面図である。
【図８】図８は、図７の装置本体を有するヘッド装置の回路を示すブロック図である。
【符号の説明】
【００８２】
２  ヘッド装置（車載再生装置）
６  リモコン送信ユニット
１１，５０  プリセットボタン
１３，５２  指紋読取デバイス（生体読取デバイス）
１４  赤外線受光デバイス（リモコン受信手段の一部）
２２  キーデバイス
２３  フラッシュメモリ（メモリ）
３１  デフォルトプリセットデータ（キーコードに予め対応付けられているキーコード）
３２  ユーザ別プリセットデータ（各ユーザのキーコード）
３５  最新ユーザ識別データ（メモリに記憶されている最新の認証データ）
４１  キーコード生成部（リモコン受信手段の一部）
４２，５２  特徴解析部（認証データ取得手段）
４３  操作判断部（キーコード抽出手段）
４５  ＤＶＤ再生部（再生手段）
【図１】
2008182434.tif 000003
【図２】
2008182434.tif 000004
【図３】
2008182434.tif 000005
【図４】
2008182434.tif 000006
【図５】
2008182434.tif 000007
【図６】
2008182434.tif 000008
【図７】
2008182434.tif 000009
【図８】
2008182434.tif 000010